(57)【要約】【課題】混合水栓などの水栓金具と止水栓脚との接続部を解除して水栓金具を取り除かなくても、止水栓脚と給液配管との接続部の点検施工を行うことができる水栓部カバー構造を提供することを目的としている。【解決手段】カバー４が、給液配管路を上側から覆う上部カバー部材６と、残部を覆う下部カバー部材５とを備え、下部カバー部材５が、止水栓１３の先端部を室内側に露出させる止水栓挿通孔８５ａを有し、止水栓１３の傾斜方向にスライドして下部カバー部材５の本体部７から室内側に分離可能で、分離により室内側から給湯管Ｐ２及び給水管Ｐ１と配管接続口１１との接続分離作業が可能な開口７ａを形成する止水栓カバー部８を備えている構成とした。【選択図】      図１
2010150868.tif 000002
【特許請求の範囲】
【請求項１】
給水用または給湯用の給液管が接続される配管接続口と水栓金具接続口とを直交するように備えるとともに、前記配管接続口と水栓金具接続口と間に水抜き機構付きの止水栓が斜め方向に突出するように設けられた止水栓脚を、前記水栓金具接続口を水平方向に、前記配管接続口を鉛直下方に向けて室内壁面に少なくとも１つ固定し、
前記止水栓脚の固定部より下方の室内壁面に沿って台を設けるとともに、この台下方から台を貫通して前記給液管を立ち上げ、給液管を配管接続口に接続するとともに、
水栓金具を止水栓脚の水栓金具接続口に接続し、水栓金具を室内壁面に支持させた水栓部が、
前記止水栓脚の止水栓を室内側から操作可能に、その水栓金具に到る給液配管路をカバーによって室内から隠蔽されている水栓部カバー構造であって、
前記カバーが、給液配管路を上側から覆う上部カバー部材と、
残部を覆う下部カバー部材とを備え、
前記下部カバー部材が、前記止水栓の先端部を室内側に露出させる止水栓挿通孔を有し、前記止水栓の傾斜方向にスライドして下部カバー部材の他の部分から室内側に分離可能で、分離により室内側から給液管と前記配管接続口との接続分離作業が可能な開口を形成する止水栓カバー部を備えていることを特徴とする水栓部カバー構造。
【請求項２】
平行に並んで室内壁面に固定される２つの止水栓脚を有し、一方の止水栓脚の配管接続口に給水用給液管が接続され、他方の止水栓脚の配管接続口に給湯用給液管が接続されるとともに、止水栓カバー部が２つの止水栓脚の止水栓の先端部を室内側に露出させる２つの止水栓挿通孔を備えている請求項１に記載の水栓部カバー構造。
【請求項３】
水栓金具が混合水栓である請求項２に記載の水栓部カバー構造。
【請求項４】
下部カバー部材が、止水栓カバー部と本体部の２つのパーツで形成されている請求項１〜請求項３のいずれかに記載の水栓部カバー構造。
【発明の詳細な説明】
【技術分野】
【０００１】
本発明は、浴室等の室内のカウンター等の台の上側で壁面に沿って設けられる水栓金具と給水用または給湯用の給液管との接続部を含む台上の給液配管路がカバーによって隠蔽された状態となる水栓部カバー構造に関する。
【背景技術】
【０００２】
従来、浴室やシャワー室等の室外から壁内に給水用及び／または給湯用の給液管を導入し、壁内で給液管と混合水栓等の水栓金具と締結する配管構造が主流であったが、この構造の場合、給液管と水栓金具との接続部が室内壁面の裏側に配置されるため、給液管と水栓器具との接続部から漏水が発生した場合、躯体を濡らしてしまうリスクがある。
【０００３】
そこで、室内壁面に沿って設けカウンター等の台の下側に給液管を通し、台の一部に設けられた開口あるいは配管挿通孔から給液管の端部を引き出して、台上で給液管と水栓金具とを直接あるいは継手を介して接続することで上記問題を回避するとともに、台上に突出した給液管、及び給液管と水栓金具との接続部を含む給液配管路を着脱自在なカバーで覆うようにした浴室ユニットが開発されている（特許文献１）。
すなわち、この浴室ユニットの構造によれば、給液管と水栓金具との接続部が浴室やシャワー室内に配置されるため、給液管と水栓金具との接続部から漏水が発生しても室内に漏れ出る。したがって、漏水が躯体側へ影響を与えることがない。また、台上に突出した給液管と水栓金具との接続部を着脱自在なカバーで覆うようにしたので、浴室内の意匠を損なうことがないとともに、カバーを取り外すことで、給液管と水栓金具との接続部を容易に点検及び補修することができる。
【０００４】
一方、寒冷地などにおいては、凍結防止のために、給液管と水栓金具との間に水抜き機構を有する止水栓を備えた止水栓脚を介在させることが行われている（特許文献２参照）。また、壁付き水栓を浴室ユニットやシャワー室ユニット内部配管とするために止水栓が必要な場合がある。
そして、このような止水栓脚として、図１０に示すように、下部から立ち上がってくる給水または給湯用の給液管が接続される配管接続口１１と水栓金具接続口１２とを直交するように備えるとともに、配管接続口１１と水栓金具接続口１２との間で、水平面に対して４５°程度の角度で突出するように設けられた水抜き機構を備えた止水栓１３を備えた止水栓脚１を用いることが多くなっている。
【０００５】
ところで、上記のような止水栓脚１を用いた場合、止水栓脚１の止水栓１３をカバーで覆うと、止水や水抜きを行う必要がある場合、カバーを取り除く必要があり、面倒である。
【０００６】
そこで、図１１に示すような水栓部カバー構造が提案されている。
すなわち、図１１に示すように、カバー１００は、上部カバー部材１１０と下部カバー部材１２０とから構成されている。
上部カバー部材１１０は、止水栓脚１の上方及び側面を覆うようになっている。下部カバー部材１２０は、止水栓挿通孔１２１を介し室内側に止水栓１３の先端部を露出させた状態で止水栓脚１とカウンター２上の給液管である給水管Ｐ１及び給湯管Ｐ２や止水栓脚１と水栓金具としての混合水栓３との接続部の前面及び側面を覆うようになっている。
【０００７】
そして、このカバー１００の施工手順としては、まず、止水栓脚１と給水管Ｐ１及び給湯管Ｐ２の接続を行い、下部カバー部材１２０を壁面に固定したのち、カウンター２の取り付けを行い、混合水栓３と止水栓脚１の接続を行い、上部カバー部材１１０で上部開口部を覆い、止水栓脚１と給水管Ｐ１及び給湯管Ｐ２との接続部を含む給液配管路を隠蔽する手順となっている。
【０００８】
しかしながら、上記カバー１００の構造では、接続した配管接続部を保守点検する際に、混合水栓３と止水栓脚１との接続部の点検は上部カバー部材１１０を外すことで容易に可能であるが、給水管Ｐ１及び給湯管Ｐ２と止水栓脚１との接続部の点検は、下部カバー部材１２０が、カウンター２を取り外さないと、取り外すことができないため、上部カバー部材１１０を外して、まず、混合水栓３と止水栓脚１との接続解除し、混合水栓３を取り除いた後でないと行うことができず、非常に面倒である。
なお、図１１中、３１ａは蛇口、３２は蛇口開閉ハンドル、Ｗは浴室の室内壁面である。
【０００９】
【特許文献１】特開2008-138396号公報
【特許文献２】特開2002-356888号公報
【発明の開示】
【発明が解決しようとする課題】
【００１０】
本発明は、上記事情に鑑みて、水栓金具と止水栓脚との接続部を解除して水栓金具を取り除かなくても、止水栓脚と給液管との接続部の点検施工を行うことができる水栓部カバー構造を提供することを目的としている。
【課題を解決するための手段】
【００１１】
上記目的を達成するために、本発明にかかる水栓部カバー構造は、給水用または給湯用の給液管が接続される配管接続口と水栓金具接続口とを直交するように備えるとともに、前記配管接続口と水栓金具接続口と間に水抜き機構付きの止水栓が斜め方向に突出するように設けられた止水栓脚を、前記水栓金具接続口を水平方向に、前記配管接続口を鉛直下方に向けて室内壁面に少なくとも１つ固定し、前記止水栓脚の固定部より下方の室内壁面に沿って台を設けるとともに、この台下方から台を貫通して前記給液管を立ち上げ、給液管を配管接続口に接続するとともに、水栓金具を止水栓脚の水栓金具接続口に接続し、水栓金具を室内壁面に支持させた水栓部が、前記止水栓脚の止水栓を室内側から操作可能に、その水栓金具に到る給液配管路をカバーによって室内から隠蔽されている水栓部カバー構造であって、前記カバーが、給液配管路を上側から覆う上部カバー部材と、残部を覆う下部カバー部材とを備え、前記下部カバー部材が、前記止水栓の先端部を室内側に露出させる止水栓挿通孔を有し、前記止水栓の傾斜方向にスライドして下部カバー部材の他の部分から室内側に分離可能で、分離により室内側から給液管と前記配管接続口との接続分離作業が可能な開口を形成する止水栓カバー部を備えていることを特徴としている。
【００１２】
本発明において、水栓金具に到る給液配管路とは、台から立ち上がる給液管としての給水管及び／または給湯管、止水栓脚、水栓金具の少なくとも給液口及びそれらの接続部からなる。
カバーは、給水用の給液配管路あるいは給湯用の給液配管路のいずれか一方のみをそれぞれ隠蔽するようにしても、給水用及び給湯用の給液配管路をまとめて隠蔽できるようにしても構わない。
給水用及び給湯用の給液配管路をまとめて隠蔽できるようにする場合、平行に並んで室内壁面に固定される２つの止水栓脚を有し、一方の止水栓脚の配管接続口に給水用給液管が接続され、他方の止水栓脚の配管接続口に給湯用給液管が接続されるとともに、止水栓カバー部が２つの止水栓脚の止水栓の先端部を室内側に露出させる２つの止水栓挿通孔を備えている構成とすることが好ましい。
水栓金具としては、シングル水栓、混合水栓のいずれもが使用できる。
【００１３】
本発明の水栓部カバー構造において、特に限定されないが、部品コスト及び施工性を考慮すると、下部カバー部材が、止水栓カバー部と本体部の２つのパーツで形成され、止水栓カバー部が止水栓の傾斜方向にスライドして本体部に着脱されることが好ましい。
【００１４】
本発明において、カバーは、特に限定されないが、例えば、ステンレス鋼、クロムメッキ鋼などの金属製板材をプレス加工する、あるいは、合成樹脂を成形して得ることができる。なお、合成樹脂成形品の場合、合成樹脂表面が化学メッキや蒸着などの真空メッキ等により表面化粧されていてもよい。
【発明の効果】
【００１５】
本発明にかかる水栓部カバー構造は、以上のように、カバーが、給液配管路を上側から覆う上部カバー部材と、残部を覆う下部カバー部材とを備え、前記下部カバー部材が、前記止水栓の先端部を室内側に露出させる止水栓挿通孔を有し、前記止水栓の傾斜方向にスライドして下部カバー部材の他の部分から室内側に分離可能で、分離により室内側から給液管と前記配管接続口との接続分離作業が可能な開口を形成する止水栓カバー部を備えている。
【００１６】
したがって、上部カバー部材を取り外せば、水栓金具と止水栓脚との接続部の上方が開放され、水栓金具と止水栓脚との接続部を容易に点検することができる。そして、止水栓を操作して水栓金具側に給水及び給湯できないようにすると、混合水栓と止水栓脚との分離接続作業を容易に行うことができる。
【００１７】
一方、止水栓カバー部を下部カバー部材の他の部分から分離させれば、止水栓脚と給水給湯管との接続部が開口から容易に点検できる。そして、給液管の元栓を締めれば、水栓金具を取り外すことなく、給液管と止水栓脚との分離接続作業を容易に行うことができる。
また、止水栓カバー部が、止水栓の傾斜方向にスライドして下部カバー部材の他の部分から室内側に分離可能にしたので、止水栓カバー部がスムーズに着脱できるとともに、止水栓挿通孔を必要最小限の大きさにすることができ、意匠性に優れたものとなる。
【発明を実施するための最良の形態】
【００１８】
以下に、本発明を、その実施の形態をあらわす図面を参照しつつ詳しく説明する。
図１〜図３は、本発明にかかる水栓部カバー構造の１つの実施の形態をあらわしている。
【００１９】
この水栓部カバー構造は、図１に示すように、浴室の洗い場等の室内壁面Ｗに沿ってカウンター２が配置され、カウンター２の下側からカウンター２を貫通して給液管としての給水管Ｐ１及び給湯管Ｐ２が立ち上がるように設けられている。
給水管Ｐ１及び給湯管Ｐ２は、その上端がそれぞれ止水栓脚１の配管接続口１１に接続されている。
【００２０】
各止水栓脚１は、図１０に示すように、配管接続口１１と水栓金具接続口１２とを直交するように備えるとともに、配管接続口１１と水栓金具接続口１２と間に水抜き機構付きの止水栓１３が４５度斜め下方に突出するように設けられている。
そして、２つの止水栓脚１は、水栓金具接続口１２を水平方向に、配管接続口１１を鉛直下方に向けて平行に並んで室内壁面Ｗに固定されている。
【００２１】
また、一方の止水栓脚１の水栓金具接続口１２に、水栓金具としての混合水栓３の給湯口３１ｂが接続され、他方の止水栓脚１の水栓金具接続口１２に、混合水栓３の給水口３１ｃが接続されることによって、混合水栓３が水栓本体部３１を水平に保った状態で２つの止水栓脚１を介して室内壁面Ｗに支持固定されている。
【００２２】
混合水栓３は、図２及び図３に示すように、水栓本体部３１の室内壁面Ｗに向かって右側に蛇口開閉ハンドル３２が設けられ、左側に温度調節ハンドル３３が設けられている。
水栓本体部３１の下面には、図３に示すように、蛇口３１ａが中央部で鉛直方向に突設され、蛇口３１ａより蛇口開閉ハンドル３２側で水抜き口３１ｅが鉛直方向に突設されている。
水栓本体部３１の背面（室内壁面側）には、図２に示すように、給液口としての給湯口３１ｂ、給水口３１ｃ及びシャワー用分岐口３１ｆが設けられている。
【００２３】
そして、この水栓部カバー構造では、カウンター２上の混合水栓３に到る給水管Ｐ１，給湯管Ｐ２、止水栓脚１の止水栓１３の先端を除く部分及び止水栓脚１と水栓本体部３の蛇口３１ａと水抜き口３１ｅを除く部分がカバー４によって室内側から隠蔽されている。
すなわち、カバー４は、図１に示すように、下部カバー部材５と上部カバー部材６とを備えている。
【００２４】
下部カバー部材５は、射出成形するとともに、化学メッキ等の化粧が施された本体部７及び止水栓カバー部８を備えている。
本体部７は、図４に示すように、２つの側壁７１と、前面壁７２と、水栓本体支持部７３とを備えている。
【００２５】
２つの側壁７１は、対称形状をしていて、上部側壁部７１ａと、下部側壁部７１ｂと有するとともに、上部側壁部７１ａと、下部側壁部７１ｂと間に括れ部７１ｃを備えている。
上部側壁部７１ａは、室内側の端縁が水栓本体部３１の周囲沿うように略円弧状に切り欠かれ、上端が室内側に向かって下り勾配になっている。また、上部側壁部７１ａは、上端縁に沿って、後述する上部カバー部材６の幅方向の端縁を受けるリブ７４を備えている。
また、上部側壁部７１ａには、後述する上部カバー部材６の係合孔６４ａに一致する係合孔７１ｅが設けられているとともに、必要に応じて、シャワー用接続配管３１ｇの挿通孔７１ｄが後加工にて穿設される。
【００２６】
下部側壁部７１ｂは、上端が室内側に向かって下方に略４５度の角度で傾斜する傾斜面７１ｆになっている。
括れ部７１ｃは、後述する止水栓カバー部８の係合孔８３ａが係合する２つの係合突起７５が室内側端縁より少し内側で鉛直上に並んで突設されている。
また、側壁７１は、括れ部７１ｃの略上端から下部側壁部７１ｂに上端部にかけて、浴室壁面側の端縁から他方の側壁７１に向かって２つの固定ねじ挿通孔７６ａを備えた固定ねじ受部７６がそれぞれ延設されている。
【００２７】
前面壁７２は、下部側壁部７１ｂの室内側の端縁を連結するように設けられ、中央部が室内壁面側に近づくように湾曲していて、上端面が後述する止水栓カバー部８の下端面を受けるようになっている。
また、前面壁７２の全幅及び両下部側壁部７１ｂの下端部にかけて前面壁７２及び両下部側壁部７１ｂの内側から段状に立ち上がるように立ち上がり壁７７が設けられている。
【００２８】
水栓本体支持部７３は、支持部本体７３ａと、２つの接続部受部７３ｂとを備えている。
支持部本体７３ａは、上部側壁部７１ａの室内側で、２つの上部側壁部７１ａの下端縁間を連結する板状をしていて、蛇口３１ａ及び水抜き口３１ｅの室内壁面側の略半分が臨む２つの円弧状切欠部７３ｃ、７３ｄが室内側端縁に穿設されている。
【００２９】
２つの接続部受部７３ｂは、支持部本体７３ａの室内壁面側で支持部本体７３ａの中央部に隙間が設けられた状態で立設する板状をしていて、その上端中央に水栓本体部３１の室内壁面側に延出する給湯口３１ｂあるいは給水口３１ｃの下半分が嵌り込む円弧状の切欠部７３ｆを備えている。
【００３０】
止水栓カバー部８は、図５〜図７に示すように、２つの側壁８１と、前面壁８２とを備えている。
側壁８１は、本体部７の下部側壁部７１ｂの傾斜面７１ｆ、括れ部７１ｃ及び上部側壁部７１ａの下端縁に沿う形状に形成されている。
また、側壁８１の室内壁面Ｗ側の端縁には、係合孔８３ａを備えた係止部８３が側壁８１の内壁面側から延出するように設けられている。
【００３１】
前面壁８２は、両側壁８１の室内面側の端縁間を覆うように両側壁８１に一体に設けられ、垂直面部８４と傾斜面部８５とを備えている。
垂直面部８４は、本体部７の前面壁７２と同じ湾曲形状をしていて、室内壁面側の中央部に、立ち上がり壁７７の上端部に係止される係止爪８６が突設されている。
傾斜面部８５は、垂直方向に対して４５度の角度をなすように設けられ、２つの止水栓挿通孔８５ａが穿設されている。
また、止水栓カバー部８は、２つの側壁８１間の距離が、立ち上がり壁７７の側壁７１側の部分の外壁間距離と略同じになっているとともに、側壁８１の厚みが傾斜面７１ｆの幅より極わずか（0.05ｍｍ程度）薄くなっていて、前面壁８２の垂直面部８４の厚みが前面壁７２の上端面の幅より極わずか（0.05ｍｍ程度）薄くなっている。
【００３２】
上部カバー部材６は、射出成形されるとともに、化学メッキ等の化粧が施され、水栓本体カバー部６１と、上面カバー部６２とを備えている。
水栓本体カバー部６１は、蛇口３１ａ及び水抜き口３１ｅを除く水栓本体部３１の室内側の面全体を覆う半円筒状をしていて、蛇口３１ａ及び水抜き口３１ｅに臨む位置に蛇口３１ａ及び水抜き口３１ｅがそれぞれ嵌り込む円弧状の切欠６１ａ，６１ｂが設けられている。
上面カバー部６２は、水栓本体カバー部６１の上端から室内壁面側に向かって延出するように設けられていて、室内壁面Ｗ側の端部両側に下面から突出する係止部６４が突設されている。
各係止部６４は、それぞれ係合孔６４ａが穿設されている。
【００３３】
そして、上記カバー４は、以下のようにして取り付けられるようになっている。
すなわち、カウンター２の下方からカウンター２上に立ち上げられた給水管Ｐ１を室内壁面Ｗに固定された一方の止水栓脚１の配管接続口１１に、給湯管Ｐ２を他方の止水栓脚１の配管接続口１１に接続し、一方の止水栓脚１の水栓金具接続口１２に混合水栓３の給湯口を、他方の止水栓脚１の水栓金具接続口１２に混合水栓３の給水口を室内壁面Ｗに支持させる。
【００３４】
つぎに、下部カバー部材５の本体部７を下端がカウンター２に受けられ、固定ねじ受部７６が室内壁面Ｗに当接するとともに、水栓本体部３１の給湯口３１ｂ及び給水口３１ｃがそれぞれ２つの切欠部７３ｆに嵌り込むように配置し、固定ねじ挿通孔７６ａを介して図１に示すように、固定ねじＢを室内壁面Ｗにねじ込み、本体部７を固定する。
シャワー設置側の上部側壁部７１ａ（この実施の形態では室内壁面Ｗに向かって左側）に挿通孔７１ｄを穿設し、シャワー用分岐口３１ｆにシャワー用接続配管３１ｇの一端を接続し、シャワー用接続配管３１ｇの他端を挿通孔７１ｄからカバー４外に引き出してシャワー用接続配管３１ｇの他端にシャワーホース（図示せず）を接続する。
【００３５】
そして、止水栓カバー部８を止水栓挿通孔８５ａが止水栓１３の先端部を臨むように配置し、斜め下方から、傾斜面７１ｆに側壁８１の下面を受けさせ傾斜面７１ｆによってガイドさせながら斜め４５度方向に押し上げて係止部８３の係合孔８３ａに係合突起７５を係合させるとともに係止爪８６を立ち上がり壁７７の上端に係止させて、止水栓１３の先端を止水栓挿通孔８５ａを介して室内側に露出させた状態で本体部７の開口７ａを図３に示すように、止水栓カバー部８によって閉鎖する。
【００３６】
また、上部カバー部材６の水栓本体カバー部６１内に水栓本体部３１の室内側の面が嵌り込むとともに、係止部６４の係合孔６４ａに係合孔７１ｅが一致するように装着し、係合孔６４ａ及び係合孔７１ｅに下部カバー部材５側からコインビス（図示せず）をねじ込んで下部カバー部材５と水栓本体部３１と室内壁面Ｗとの間に形成される上部開口をカバー状態に保持する。
【００３７】
一方、給水管Ｐ１あるいは給湯管Ｐ２と止水栓脚１の配管接続口１１との接続状態の点検や給水管Ｐ１あるいは給湯管Ｐ２の交換は、止水栓カバー部８の側壁８１を他方の側壁８１側に押圧し、係合突起７５の係合孔８３ａへの係合を解除し、止水栓カバー部８の側壁８１の下端を傾斜面７１ｆにガイドさせながら室内側にスライドさせて、止水栓カバー部８を取り除き、本体部７の開口７ａを開放状態とし、この開口７ａを介して行う。
他方、混合水栓３との止水栓脚１の水栓金具接続口１２との接続状態の点検や混合水栓３の交換は、上部カバー部材６を取り除き、上部開口を開放状態とし、この上部開口を介して行う。
【００３８】
この水栓部カバー構造は、以上のようになっており、止水栓１３がカバー４を装着した状態で操作できるとともに、止水栓脚１や混合水栓３を取り除かなくても止水栓カバー部８のみを取り外すだけで、給水管Ｐ１あるいは給湯管Ｐ２と止水栓脚１の配管接続口１１との接続状態の点検や給水管Ｐ１あるいは給湯管Ｐ２の交換を行うことができ、給水管Ｐ１あるいは給湯管Ｐ２と止水栓脚１の配管接続口１１との接続状態の点検や給水管Ｐ１あるいは給湯管Ｐ２の交換作業を迅速かつ簡単に行うことができる。
カバー４が下部カバー部材５の本体部７と、止水栓カバー部８と、上部カバー部材６との３つのパーツのみからなるので、部品点数が少なく組み立てが容易である。
【００３９】
また、止水栓カバー部８の、２つの側壁８１間の距離が、立ち上がり壁７７の側壁７１側の部分の外壁間距離と略同じになっているとともに、側壁８１の厚みが傾斜面７１ｆの幅より極わずか薄くなっていて、前面壁８２の垂直面部８４の厚みが前面壁７２の上端面の幅より極わずか薄くなっているので、カバー４が公差内で成形されていれば、側壁７１及び前面壁７２が側壁８１及び前面壁８２より極わずか外側に張り出した状態で止水栓カバー部８が本体部７に取り付けられるので、接合部の境界がぼかされたようになり、常に見栄えのよい状態とすることができる。
【００４０】
本発明は、上記の実施の形態に限定されない。例えば、上記の実施の形態では、上部側壁部に穿設されたシャワー用接続配管の挿通孔からシャワー用接続配管を室内側に引き出し、このシャワー用接続配管にシャワーホースを接続するようにしていたが、シャワー用接続配管をカウンターの下側に通し、他の位置に設けられたシャワータワーの下端部に接続するようにしてもよい。
また、上記の実施の形態では、後加工により上記挿通孔を設けるようにしていたが、予め両側の上部側壁部にキャップ付きの挿通孔を設け、必要に応じてキャップを取り外し挿通孔を開放するようにしても構わない。
【図面の簡単な説明】
【００４１】
【図１】本発明にかかる水栓部カバー構造の１つの実施の形態であって、その上部カバー部材と、止水栓カバー部を取り外した状態の側面図である。
【図２】図１の水栓部カバー構造の上部カバー部材を取り外した状態を上からみた図である。
【図３】図１の水栓部カバー構造を室内側からみた要部斜視図である。
【図４】図１の水栓部カバー構造に用いる下部カバー部材の本体部をあらわす図であって、同図（ａ）が正面図、同図（ｂ）が左側面図、同図（ｃ）が平面図、同図（ｄ）が底面図である。
【図５】図１の水栓部カバー構造に用いる下部カバー部材の止水栓カバー部をあらわす図であって、同図（ａ）が正面図、同図（ｂ）が左側面図、同図（ｃ）が平面図である。
【図６】図５のＡ−Ａ線断面図である。
【図７】図５のＢ−Ｂ線断面図である。
【図８】図５のＣ−Ｃ線断面図である。
【図９】図１の水栓部カバー構造に用いる上部カバー部材をあらわす図であって、同図（ａ）が底面図、同図（ｂ）が同図（ａ）のＤ方向矢視図、同図（ｃ）が同図（ａ）のＥ方向矢視図である。
【図１０】止水栓脚の側面図である。
【図１１】従来の水栓部カバー構造の１例をあらわす一部切欠側面図である。
【符号の説明】
【００４２】
Ｐ１  給水管（給液管）
Ｐ２  給湯管（給液管）
Ｗ  室内壁面
１  止水栓脚
１１  配管接続口
１２  水栓金具接続口
１３  止水栓
２  カウンター（台）
３  混合水栓（水栓金具）
３１  水栓本体部
３１ａ  蛇口
３１ｂ  給湯口
３１ｃ  給水口
４  カバー
５  下部カバー部材
６  上部カバー部材
７  本体部（残部）
７ａ  開口
８  止水栓カバー部
８５ａ  止水栓挿通孔
【図１】
2010150868.tif 000003
【図２】
2010150868.tif 000004
【図３】
2010150868.tif 000005
【図４】
2010150868.tif 000006
【図５】
2010150868.tif 000007
【図６】
2010150868.tif 000008
【図７】
2010150868.tif 000009
【図８】
2010150868.tif 000010
【図９】
2010150868.tif 000011
【図１０】
2010150868.tif 000012
【図１１】
2010150868.tif 000013